(57)【特許請求の範囲】
【請求項１】
洗米槽（２０）の下部に排米口（２０ａ）を開閉する排米弁（２４）を設け、この排米弁（２４）に上方へ延びる牽引索（４１）を連結し、この牽引索（４１）を洗米槽（２０）の上方で案内部材（５０）を介して横向きに延設し、牽引索（４１）の端部に牽引体（４３）を連結し、前記排米弁（２４）を排米口（２０ａ）を閉鎖する位置と開放する位置との間で昇降すべく、前記牽引体（４３）にその水平位置を変更する移動手段（２８）を連結しており、
前記移動手段（２８）は、モータ（２７）によって回転駆動される回動体（４２）と、この回動体（４２）の偏心位置に牽引体（４３）を揺動可能に枢支する連結ピン（４６）と、モータ（２７）と回動体（４２）との間に、牽引体（４３）が排米弁（２４）に水平方向で近づいた位置から遠のく位置まで回動体（４２）を駆動しかつ牽引体（４３）が最遠位置から戻り行程に変換したときに回動体（４２）を遊転させて牽引体（４３）を最近位置に戻すクラッチ手段（４５）とを有し、
前記牽引索（４１）の端部に端部具（４９）を固着して前記牽引体（４３）内に移動自在に配置し、この端部具（４９）と牽引体（４３）との間に牽引索（４１）を排米弁（２４）閉鎖方向に付勢していて牽引体（４３）が遠近方向中途位置から最遠位置まで移動する間に前記排米弁（２４）を排米口（２０ａ）に弾圧する弾性体（４８）を設けていることを特徴とする炊飯のための米処理機。
【請求項２】
洗米槽（２０）の上部に撹拌体を有する縦筒軸（２１）を回転自在に支持し、この縦筒軸（２１）内に弁棒（２２）を昇降自在に挿通し、この弁棒（２２）の下部に洗米槽（２０）の排米口（２０ａ）を開閉する排米弁（２４）を設け、洗米槽（２０）の上方に弁棒（２２）を昇降する昇降機構（２６）を配置しており、
前記昇降機構（２６）は、洗米槽（２０）の上方に配置されていて水平位置変更可能な牽引体（４３）と、この牽引体（４３）と弁棒（２２）とを連結する牽引索（４１）と、この牽引索（４１）を弁棒（２２）の上方で略横方向から縦方向に方向変換する案内部材（５０）と、前記排米弁（２４）を排米口（２０ａ）を閉鎖する位置と開放する位置との間で昇降すべく、前記牽引体（４３）の水平位置を変更する移動手段（２８）とを有し、
前記移動手段（２８）は、モータ（２７）によって回転駆動される回動体（４２）と、この回動体（４２）の偏心位置に牽引体（４３）を揺動可能に枢支する連結ピン（４６）と、モータ（２７）と回動体（４２）との間に、牽引体（４３）が排米弁（２４）に水平方向で近づいた位置から遠のく位置まで回動体（４２）を駆動しかつ牽引体（４３）が最遠位置から戻り行程に変換したときに回動体（４２）を遊転させて牽引体（４３）を最近位置に戻すクラッチ手段（４５）とを有し、
前記牽引索（４１）の端部に端部具（４９）を固着して前記牽引体（４３）内に移動自在に配置し、この端部具（４９）と牽引体（４３）との間に牽引索（４１）を排米弁（２４）閉鎖方向に付勢していて牽引体（４３）が遠近方向中途位置から最遠位置まで移動する間に前記排米弁（２４）を排米口（２０ａ）に弾圧する弾性体（４８）を設けていることを特徴とする炊飯のための米処理機。
【請求項３】
米を貯蔵していて送り出し可能な貯米部（Ａ）と、この貯米部（Ａ）から洗米槽（２０）に供給される米を洗米して下方の容器（５）に供給可能な洗米部（Ｂ）とを水平配置し、両部（Ａ、Ｂ）の上側に調理台部（Ｃ）を設けていることを特徴とする請求項１又は２に記載の炊飯のための米処理機。
【請求項４】
前記洗米部（Ｂ）と貯米部（Ａ）とを左右に配置していることを特徴とする請求項３に記載の炊飯のための米処理機。
【発明の詳細な説明】
【０００１】
【発明の属する技術分野】
本発明は、家庭用、業務用等に使用可能な炊飯のための米処理機に関する。
【０００２】
【従来の技術】
この種の従来技術においては、特許第２７３６２９０号公報に開示されているように、筐体内に、米を貯蔵していて送り出し可能な貯米部と、この貯米部から供給される米を洗米して下方の容器に供給可能な洗米部とを上下方向に配置している。
前記洗米部は、洗米槽の上部に撹拌体を有する縦筒軸を回転自在に支持し、この縦筒軸内に弁棒を昇降自在に挿通し、この弁棒の下部に洗米槽の排米口を開閉する排米弁を設け、洗米槽の上方に弁棒を昇降動作させる昇降機構を配置している。
【０００３】
前記昇降機構は、弁棒の上端部に係合して揺動するリンクと、このリンクと当接するカムと、このカムを横軸回りに回動する排米モータとを有し、カムでリンク揺動して弁棒の先端を大きく昇降する構造となっている。
【０００４】
【発明が解決しようとする課題】
前記従来技術においては、洗米槽の上部から上方へ突出した弁棒を昇降機構で昇降しており、弁棒と係合しているリンクの先端は、弁棒よりも更に大きく昇降する構造になっているため、洗米槽の上方に大きい昇降機構配置空間を形成しておかねばならなく、米処理機の天井高さが高くなったり、洗米槽の容量が抑えられたりすることになり、米処理機をコンパクトに構成する障害になっている。
ところで、筐体の上面を調理台に利用しようとする場合、洗米部の上部に大きな空間をとることは、必要かつ十分な洗米容量を確保する上で、大きなネックとなる。
【０００５】
本発明は、このような従来技術の問題点を解決できるようにした炊飯のための米処理機を提供することを目的とする。
本発明は、排米弁の開閉に牽引索を使用し、洗米槽の上方で牽引索の先端に設けた牽引体の水平位置を変更することにより、洗米槽の上方に上下方向の大きい空間を形成しなくとも、排米弁を開閉できるようにした炊飯のための米処理機を提供することを目的とする。
【０００６】
【課題を解決するための手段】
本発明における課題解決のための第１の具体的手段は、洗米槽２０の下部に排米口２０ａを開閉する排米弁２４を設け、この排米弁２４に上方へ延びる牽引索４１を連結し、この牽引索４１を洗米槽２０の上方で案内部材５０を介して横向きに延設し、牽引索４１の端部に牽引体４３を連結し、前記排米弁２４を排米口２０ａを閉鎖する位置と開放する位置との間で昇降すべく、前記牽引体４３にその水平位置を変更する移動手段２８を連結していることである。
【０００７】
これによって、移動手段２８で牽引体４３の水平位置を変更すると、排米弁２４が昇降されて排米口２０ａを開閉することができ、洗米槽２０の上方側で上下方向に移動するものがなく、排米弁を開閉するための機構の配置空間が低くなり、洗米槽２０の容量を十分に確保可能になる。
本発明における課題解決のための第２の具体的手段は、洗米槽２０の上部に撹拌体２３を有する縦筒軸２１を回転自在に支持し、この縦筒軸２１内に弁棒２２を昇降自在に挿通し、この弁棒２２の下部に洗米槽２０の排米口２０ａを開閉する排米弁２４を設け、洗米槽２０の上方に弁棒２２を昇降する昇降機構２６を配置した炊飯のための米処理機において、
前記昇降機構２６は、洗米槽２０の上方に配置されていて水平位置変更可能な牽引体４３と、この牽引体４３と弁棒２２とを連結する牽引索４１と、この牽引索４１を弁棒２２の上方で略横方向から縦方向に方向変換する案内部材５０と、前記排米弁２４を排米口２０ａを閉鎖する位置と開放する位置との間で昇降すべく、前記牽引体４３の水平位置を変更する移動手段２８とを有することである。
【０００８】
これによって、移動手段２８で牽引体４３の水平位置を変更すると、排米弁２４が昇降されて排米口２０ａを開閉することができ、洗米槽２０の上方側で上下方向に移動するものがなく、昇降機構２６の配置空間が低くでき、洗米槽２０の容量を十分に確保可能になる。
本発明における課題解決のための第３の具体的手段は、第１又は２の具体的手段に加えて、前記牽引体４３は、牽引索４１との間に、排米弁２４を閉鎖状態で排米口２０ａに弾圧する弾性体４８を有することである。
【０００９】
これによって、閉鎖状態のとき排米弁２４を排米口２０ａに弾圧し、また、排米弁２４を開放するときに牽引体４３を排米弁２４に近づける方向に速やかに移動する。
本発明における課題解決のための第４の具体的手段は、第１〜３のいずれかの具体的手段に加えて、前記移動手段２８は、モータ２７によって回転駆動される回動体４２と、この回動体４２の偏心位置に牽引体４３を揺動可能に枢支する連結ピン４６とを有することである。
【００１０】
これによって、モータ２７の回転で牽引体４３の水平位置を変更し、牽引索４１の引っ張り及び戻しを可能にする。
本発明における課題解決のための第５の具体的手段は、第４の具体的手段に加えて、前記移動手段２８は、モータ２７と回動体４２との間に、牽引体４３が排米弁２４に水平方向で近づいた位置から遠のく位置まで回動体４２を駆動しかつ牽引体４３が最遠位置から戻り行程に変換したときに回動体４２の遊転を可能にするクラッチ手段４５を有することである。
【００１１】
これによって、牽引体４３が最遠位置から戻り行程になったときに、クラッチ手段４５が切りの状態になって回動体４２が遊転し、牽引体４３を速やかに水平方向で排米弁２４に近づいた位置に移動させ、排米弁２４を快速に開放させる。本発明における課題解決のための第６の具体的手段は、第１〜５のいずれかの具体的手段に加えて、米を貯蔵していて送り出し可能な貯米部Ａと、この貯米部Ａから洗米槽２０に供給される米を洗米して下方の容器５に供給可能な洗米部Ｂとを水平配置し、両部Ａ、Ｂの上側に調理台部Ｃを設けていることである。
【００１２】
これによって、米処理機の天井を低くして、上側に調理台部Ｃを調理必要高さに設定することが可能になり、洗米部Ｂの高さを必要高さにした上で、洗米容量を十分確保することが可能になる。
本発明における課題解決のための第７の具体的手段は、第６の具体的手段に加えて、前記洗米部Ｂと貯米部Ａとを左右に配置していることである。
これによって、調理台部Ｃを左右に広くして、容器５の出し入れも貯米部Ａの米補給も容易になる。
【００１３】
【発明の実施の形態】
以下、本発明の実施の形態を図面に基づいて説明する。
図１〜５において、米処理機１は、米の貯蔵から所要量取り出して、洗米してから炊飯装置の内釜等の容器５に供給するまでを、自動的に行えるようにしたものであり、家庭のシステムキッチンの一部として又は飲食店の業務用として使用可能である。
米処理機１は、米を貯蔵していて送り出し可能な貯米部Ａと、この貯米部Ａから供給される米を洗米して下方の容器５に供給可能な洗米部Ｂとを有し、貯米部Ａと洗米部Ｂとを水平配置しており、貯米部Ａ及び洗米部Ｂの上側に調理台部Ｃを設けている。
【００１４】
前記米処理機１は、アングル材及び板金等で筐体２を形成し、この筐体２内を左右に区別して、正面視右側に貯米装置３を収納して貯米部Ａを形成し、左側に洗米装置４及び容器５を収納して洗米部Ｂを形成し、筐体２の天板９で調理台部Ｃを形成しおり、洗米装置４及び容器５に対して貯米装置３は水平配置（並列配置）されている。
前記調理台部Ｃの高さは、地上から略７５〜８５ｃｍが最も好ましく、その前後の高さでもよいが、市販の調理台と並べて使用できるように、また、調理人、作業種等に最適な高さに設定される。
【００１５】
この調理台部Ｃの高さに合わせて、貯米装置３の高さ及び容量が設定され、また洗米装置４の高さ及び容量も設定される。これら貯米装置３及び洗米装置４は筐体２内に入り得る可及的大きなものが使用される。
筐体２は下部に複数の設置体１７を有し、この設置体１７を調整して筐体２の高さを調整することができ、前記調理台部Ｃの高さを調整することができる。
前記貯米装置３は、貯米ホッパ１１の底部に米を計量する計量手段１２を設け、この計量手段１２から洗米装置４へ米を送給する米供給手段１３を有している。
【００１６】
計量手段１２は、例えば、円筒の一部を切り欠いたドラム１２Ａをモータ１２Ｂで回転し、切欠を介して貯米ホッパ１１から入った米を、ドラム１２Ａを回転することにより切欠から下方に落下し、これを所要回繰り返すことにより、所要量の米を取り出すようになっている。
米供給手段１３は、ブロア１４の吐出側と吸入側とをホース１５で洗米装置４に接続して、空気流の閉回路を形成している。
計量手段１２のドラム１２Ａの下方には落下供給される米を受ける受け部材１６が受けられ、モータ駆動のブロア１４からの吐出風を受け部材１６から洗米装置４の上部まで送り側ホース１５Ａで案内し、前記受け部材１６上に供給された米を送風で洗米装置４内まで送るように構成されている。
【００１７】
洗米装置４とブロア１４の吸入側との間には吸引側ホース１５Ｂが接続されており、ブロア１４の空気吸引作用によって、洗米槽２０内を負圧にし、送り側ホース１５Ａ内に空気吸引力を与えて、米の搬送を確実にしている。
洗米装置４は、ロート形状の洗米槽２０を有し、筐体２の上部に洗米槽２０の上部を密閉状に形成する密閉板１８及び補強フレーム１９を固定し、これら密閉板１８及び補強フレーム１９で縦筒軸２１と弁棒２２とを二重軸構造で支持し、縦筒軸２１に複数本の攪拌棒２３を取り付け、弁棒２２の下部に略円錐形状の排米弁２４を取り付けている。
【００１８】
排米弁２４は上昇することにより、洗米槽２０の下部の排米口２０ａを閉鎖し、洗米槽２０内での洗米行程を可能にし、下降して排米口２０ａを開放することにより、洗米後の米を容器５へ供給する。
前記補強フレーム１９（又は密閉板１８）の上面に洗米モータ２５、回転センサなどが取り付けられており、洗米モータ２５は一対のベベルギヤ４０Ａ、４０Ｂを介して縦筒軸２１を駆動し、回転センサはその回転を検出する。
各撹拌棒２３は丸棒などで略コ字形に形成され、その上部の内端が縦筒軸２１に固着され、中途部が縦筒軸２１から径方向に離れていて縦筒軸２１と平行であり、下部が中途部の下端から縦筒軸２１の軸心に近ずくと共に下向きに傾斜している。
【００１９】
前記ベベルギヤ４０Ｂは縦筒軸２１の上端に設けられていて、縦筒軸２１の内部は上方へ開放されており、弁棒２２の上端に連結した牽引索（ワイヤ等索条体）４１が挿通されている。
前記弁棒２２は牽引索４１を有する昇降機構２６によって、排米弁２４を上昇した閉鎖位置から下降した開放位置まで昇降自在となっており、前記昇降機構２６は、牽引索４１の先端に連結した牽引体４３の水平位置を変更する移動手段２８を有する。
【００２０】
移動手段２８は、牽引体４３を水平方向において排米弁２４から遠近移動させる、即ち、縦筒軸２１から径方向に移動させるもので、牽引体４３を遠のく方向に移動させることによって、排米弁２４を上昇閉鎖動作させ、近づく方向に移動させることによって、排米弁２４を下降開放動作させる。
前記移動手段２８は、モータ２７で回動体４２を回転して、回動体４２に枢支連結した牽引体４３を略水平姿勢で円運動させて、牽引索４１を引っ張るように構成されている。
【００２１】
前記モータ２７は補強フレーム１９に立設の支持台４４の外面に取り付けられ、支持台４４の内側に突出したモータ２７の出力軸２７Ａにはクラッチ手段４５が設けられている。
回動体４２は２枚の円板を連結ピン４６で連結して形成したものであり、その回動軸４２Ａは支持台４４に枢支され、またモータ２７の出力軸２７Ａと同心に配置されていて、クラッチ手段４５の一部を支持している。
前記連結ピン４６は回動軸４２Ａから偏心した位置にあり、牽引体４３を回転自在に支持している。
【００２２】
牽引体４３は平板の前後・左右端部を同一方向に直角に屈曲し、前端部に止め部材４７をネジ止めすることにより連結ピン４６に連結しており、後端部の受け部４３ａで牽引索４１を挿通案内すると共にスプリング（弾性体）４８を受けている。
牽引索４１の端部には端部具４９が固着されており、この端部具４９は牽引体４３内に移動自在に配置されており、前記スプリング４８の他端部と当接していて、受け部４３ａとの間でスプリング４８を伸縮自在にしている。
【００２３】
前記クラッチ手段４５は、モータ２７の出力軸２７Ａ側に固定の第１爪体４５ａと回動体４２側に固定の第２爪体４５ｂとを有し、第１爪体４５ａと第２爪体４５ｂとはそれぞれ爪４５ａ、４５ｂを１つずつ有し、周方向１箇所で係合し、１８０度以上相対回転自在となっている。
牽引索４１は牽引体４３と弁棒２２とを連結しており、中途部がベベルギヤ４０Ｂの上方に配置されたプーリ（案内部材）５０によって、略直角に方向転換されている。プーリ５０は補強フレーム１９に立設の支持台５０Ａに軸５０Ｂを介して回転自在に支持されていて、弁棒２２の真上で牽引索４１を垂直（縦）方向から水平（横）方向に方向転換するように案内しており、磨き棒材等で形成してもよい。
【００２４】
前記回動体４２は円板形状でなくてもよく、連結ピン４６を回動軸４２Ａから偏心して取り付けるアーム部分を有しておればよく、その形状を図６、７に示しており、この図６、７及び図２、４を参照して、昇降機構２６の動作を説明する。
図６は排米弁２４を開放した状態を示し、弁棒２２及び排米弁２４の重量（開方向に付勢しておいてもよい）で、牽引体４３が引っ張られて牽引体４３、第２爪体４５ｂ及び連結ピン４６はそれぞれプーリ５０に最も近い位置（水平方向で排米弁２４に最も近い位置）に位置している。
【００２５】
この状態から、排米弁２４を閉鎖すべくモータ２７を駆動すると、出力軸２７Ａの回転により、クラッチ手段４５の第１爪体４５ａが図６、７時計方向に回動して、それが第２爪体４５ｂと係合して回動体４２を時計方向に回動し、連結ピン４６を回動軸４２Ａ回りに略１８０度、実際には１７０〜１７９度回動し、牽引体４３を図７の位置までしてその水平位置を変更させ、これによって排米弁２４を上昇させて排米口２０ａに押し当てる。なお、回動体４２はリミットスイッチ等のセンサで角度を検出して、設定角度に停止するように制御されている。
【００２６】
排米弁２４が排米口２０ａに当接するのは、連結ピン４６の回動途中（例えば、９０〜１２０度前後）であり、排米弁２４が排米口２０ａに当接した後の牽引体４３の移動は、スプリング４８を圧縮することになり、このスプリング４８の弾発力で排米弁２４が排米口２０ａに弾圧される。
図６、７に示す中心線は上死点（不安定切換線）Ｓであり、排米弁２４閉鎖時の連結ピン４６はこの上死点Ｓの手前数度Ｐ、例えば、１から１０度手前で停止されており、排米弁２４の閉鎖を維持している。
【００２７】
図７の状態から排米弁２４を開放すべくモータ２７を駆動すると、出力軸２７Ａの数度Ｐの回転により、クラッチ手段４５の第１爪体４５ａが図６、７時計方向に僅かに回動して、第２爪体４５ｂを介して回動体４２を時計方向に回動し、連結ピン４６に上死点Ｓを越えさせ、牽引体４３を水平方向で排米弁２４から最も遠ざかる位置を越えさせ、排米弁２４側に近づく戻り行程に変換させる。
連結ピン４６が上死点Ｓを越えると、それまで圧縮されていたスプリング４８の弾発力で牽引体４３がプーリ５０側に弾発され、第２爪体４５ｂが第１爪体４５ａから離れるように回動体４２が時計方向に遊転し（クラッチ手段４５が切れた状態）、弁棒２２及び排米弁２４の重量も加わって、回動体４２が略１８０度回動され、牽引体４３、第２爪体４５ｂ及び連結ピン４６は元のプーリ５０に最も近い図６の位置になる。
【００２８】
これによって、排米弁２４は快速に下降して排米口２０ａを開放し、洗米槽２０内から容器５への排米を速やかに行う。
前記洗米槽２０の上部には、適量の洗米水及び炊飯水を供給する水供給手段３０が接続され、下部には洗米水を排水するための排水手段３１が接続され、この排水手段３１には洗米槽２０の上部からのオーバフロー水の排水パイプ３２が接続されている。
前記水供給手段３０は、水道配管に接続される主管３０Ａ、この主管３０Ａから分岐して洗米槽２０の上部から散水するためのシャワー供給管３０Ｂ、洗米槽２０の下部から給水するためのオーバーフロー供給管（図示せず）等を有し、主管３０Ａには流量計５２、開閉弁５３等が設けられている。
【００２９】
前記排水手段３１は、排水ボックス３３に下部排水管３４と前記排水パイプ３２が接続されている。排水ボックス３３内には下部排水管３４を開閉する排水弁３５が設けられ、この排水弁３５はソレノイドモータ３６Ａ、クランクアーム３６Ｂ、ロッド３６Ｃ、押動体３６Ｄ等からなる弁駆動手段３６によって開閉駆動される。
前記排水パイプ３２の上下中途部には吸引側ホース１５Ｂが接続されていて、排水パイプ３２は吸引側ホース１５Ｂの一部を構成している。即ち、ブロア１４は吸引側ホース１５Ｂ及び排水パイプ３２の上部を介して洗米槽２０内に負圧を発生するようになっている。
【００３０】
なお、排水パイプ３２の下部には開閉弁を設けておいて、負圧発生時に排水ボックス３３内と隔離するように構成することが好ましく、その場合、開閉弁は空気吸引で閉鎖する構造にするか、又は前記押動体３６Ｄで閉鎖する構造にする。洗米槽２０の下方に配置される容器５は、通常炊飯装置の内釜が使用され、洗米槽２０から落下供給される洗米及び水加減後の水を収納し、そのまま炊飯装置に収納して炊飯に共するようになる。しかし、内釜以外の容器を用いて、その容器から炊飯装置内の内釜に米を移し替えるようにしてもよい。
【００３１】
筐体２内の洗米部Ｂの底部にはレール３７が敷設され、このレール３７に案内される載置台車３８が配置されており、容器５を載置台車３８に載置して、筐体２の前面から挿入して排米弁２４の直下に容易に配置できるようになっている。
洗米部Ｂに対向する筐体２の前部は、少なくとも容器５を挿脱する部分が開放され、出入口８となっている。この開放部分の出入口８はドアを設けて開閉自在にしてもよい。
洗米部Ｂの奥側には容器検出センサ３９が設けられており、容器５が排米弁２４の直下の所定位置に配置されているか否かを検出可能にしている。
【００３２】
前記筐体２は、貯米装置３に対向する上部前面に補給口６が形成され、補給扉６Ａで補給口６を開閉可能にしており、補給扉６Ａは左右両側に扇形状の側板を有する。補給扉６Ａを開放して補給口６を開放して米を外部から貯米装置３内に補給できるようになっている。
また、筐体２の上部には、貯米部Ａの計量手段１２及び米供給手段１３、洗米部Ｂのモータ２５、昇降機構２６、水供給手段３０及び排水手段３１等を制御するための操作部７が設けられている。この操作部７は米処理機１の前上側から見易いように、筐体２の前上部に配置され、かつ表示面が前上向きに傾斜されている。
【００３３】
前記調理台部Ｃを形成している筐体２の天板９は、その上面で調理したり又は物を載置したりできるものであり、この天板９は筐体２のその他の部分と別個に形成し、その後部を筐体２に横軸回り揺動自在に枢支してもよい。
そのように構成すると、貯米部Ａ及び洗米部Ｂの上部蓋として利用でき、開放することにより洗米装置４の上部のメンテナンスをしたり、また、補給口６を割愛して、貯米装置３のホッパ１１の上側から米を供給したりすることが可能になる。
【００３４】
この場合、貯米部Ａの上部を第１調理台部とし、洗米部Ｂの上部を第２調理台部とし、それらを面一に配置し、第１、第２調理台部の一方を固定に他方を開閉自在としてもよい。
貯米部Ａ及び洗米部Ｂの上側に設けた調理台部Ｃは、簡便に利用可能となり、洗米部Ｂの高さを必要高さにした上で、貯米部Ａの貯米容量を十分確保することができる。
なお、本発明は前記実施の形態に限定されるものではなく、種々変形することができる。例えば、昇降機構２６において、クラッチ手段４５は１方向クラッチを用いてもよく、スプリング４８は牽引体４３と牽引索４１との間で圧縮されて弾発力を発生するように設けられているが、引っ張りによって弾発力を発生するように構成してもよい。
【００３５】
また、昇降機構２６の移動手段２８は、牽引体４３を円運動で水平方向位置を変更しているが、ソレノイド等で直線移動させるように構成しり、牽引体４３を巻き取るように構成したりしてもよい。
弁棒２２は縦筒軸２１に支持されていることが好ましいが、縦筒軸２１より上方に突出している必要はなく、短いものでもよく、撹拌棒２３を設けない米処理機では、牽引索４１を排米弁２４に連結し、密閉板１８に挿通してもよい。
容器５の代わりに、内釜（容器５）を内蔵した炊飯装置を配置して、洗米装置４の下方で炊飯作業も行うようにしたり、貯米部Ａを洗米部Ｂの後側に併設配置したり、操作部７を調理台部Ｃの後上部に設けたり、リモートコントロール式にしたり、米補給を筐体２の側面から行うようにしたりしてもよい。
【００３６】
【発明の効果】
以上詳述した本発明によれば、移動手段２８で牽引体４３の水平位置を変更すると、排米弁２４が昇降されて排米口２０ａを開閉することができ、洗米槽２０の上方側で上下方向に移動するものがなく、昇降機構２６の配置空間が低くでき、洗米槽２０の容量を十分に確保できる。
【図面の簡単な説明】
【図１】本発明の実施の形態を示す全体正面図である。
【図２】昇降機構の拡大正面図である。
【図３】全体平面図である。
【図４】昇降機構の拡大平面図である。
【図５】全体側面図図である。
【図６】昇降機構の弁開放状態の説明図である。
【図７】昇降機構の弁閉鎖状態の説明図である。
【符号の説明】
１        米処理機
２        筐体
３        貯米装置
４        洗米装置
２０      洗米槽
２０ａ    洗米口
２１      縦筒軸
２２      弁棒
２３      撹拌棒
２４      排米弁
２６      昇降機構
２７      モータ
２７Ａ    出力軸
２８      移動手段
４１      牽引索
４２      回動体
４３      牽引体
４５      クラッチ手段
４６      連結ピン
４８      スプリング（弾性体）
５０      プーリ（案内部材）
Ａ        貯米部
Ｂ        洗米部
Ｃ        調理台部
【図１】
0003747160.tif 000002
【図２】
0003747160.tif 000003
【図３】
0003747160.tif 000004
【図４】
0003747160.tif 000005
【図５】
0003747160.tif 000006
【図６】
0003747160.tif 000007
【図７】
0003747160.tif 000008